(57)【要約】【課題】メッセージを表示させながら、そのメッセージの表示形態を変更することができる使用性の高い給湯器制御装置を提供すること。【解決手段】本発明の給湯器制御装置は、スイッチ操作で給湯器を操作する操作部１と、操作部１での操作に該当する機能に関するメッセージを表示する表示部９とを備え、操作部１に設けたスイッチの操作で表示部９に表示されたメッセージの表示形態を変更可能に構成したことにより、表示部のメッセージを見ながら表示形態を変更することができる。【選択図】図１
2010007913.tif 000002
【特許請求の範囲】
【請求項１】
スイッチ操作で給湯器を操作する操作部と、前記操作部での操作に該当する機能に関するメッセージを表示する表示部とを備え、前記操作部に設けたスイッチの操作で前記表示部に表示されたメッセージの表示形態を変更可能に構成したことを特徴とする給湯器制御装置。
【請求項２】
出力されているメッセージの速度を調節する調節スイッチを備え、スイッチ操作によってメッセージが出力中でも出力されているメッセージの速度を変更可能に構成したことを特徴とする請求項１に記載の給湯器制御装置。
【請求項３】
出力されているメッセージの一時停止をする一時停止スイッチを備え、スイッチ操作によって、メッセージの出力中でも出力されているメッセージを一時停止可能に構成したことを特徴とする請求項１または２に記載の給湯器制御装置。
【請求項４】
出力されているメッセージを記録をする記録スイッチと、記録したメッセージを再生する再生スイッチを備え、スイッチ操作によって、出力されたメッセージをいつでも記録し、再生可能に構成したことを特徴とする請求項１〜３のいずれか１項に記載の給湯器制御装置。
【発明の詳細な説明】
【技術分野】
【０００１】
本発明は、給湯器の制御装置に関するものである。
【背景技術】
【０００２】
従来、この種の給湯器の制御装置は、メッセージの出力の速度の調節は、例えばメニュースイッチ操作を行って別画面でメッセージ速度の設定を別途行わなければならず、メッセージ出力を見ながら所望の速度に調整できることはできないものとなっていた。
【０００３】
また従来、この種の給湯器制御装置はメッセージの出力はその場限りのものであり、事後に確認しようにも、確認の手段がなかった（例えば、特許文献１参照）。
【特許文献１】特開２００１−２７２０９６号公報
【発明の開示】
【発明が解決しようとする課題】
【０００４】
しかしながら、メッセージの表示を消して、表示部をメッセージ速度の変更画面に遷移させてからメッセージ速度を変更すると、使用者の感覚とのズレが発生してしまい、使用者の要求する速度になっているかどうかを再度メッセージ表示画面に戻って確認し、使用者の要求とは異なっていれば、再度メッセージ速度の変更画面に表示部を遷移させて設定しなければならない煩わしさが発生してしまうという課題を有していた。
【０００５】
本発明は、前記従来の課題を解決するもので、メッセージを表示させながら、そのメッセージの表示形態を変更することができる使用性の高い給湯器制御装置を提供することを目的とする。
【課題を解決するための手段】
【０００６】
前記従来の課題を解決するために、本発明の給湯器制御装置は、スイッチ操作で給湯器を操作する操作部と、前記操作部での操作に該当する機能に関するメッセージを表示する表示部とを備え、前記操作部に設けたスイッチの操作で前記表示部に表示されたメッセージの表示形態を変更可能に構成したことにより、表示部のメッセージを見ながら表示形態を変更することができる。
【発明の効果】
【０００７】
本発明は、メッセージを表示させながら、そのメッセージの表示形態を変更することができる使用性の高い給湯器制御装置を提供することができる。
【発明を実施するための最良の形態】
【０００８】
第１の発明の給湯器制御装置は、スイッチ操作で給湯器を操作する操作部と、前記操作部での操作に該当する機能に関するメッセージを表示する表示部とを備え、前記操作部に設けたスイッチの操作で前記表示部に表示されたメッセージの表示形態を変更可能に構成したことにより、表示部のメッセージを見ながら表示形態を変更することができる。
【０００９】
第２の発明の給湯器制御装置は、特に第１の発明において、出力されているメッセージの速度を調節する調節スイッチを備え、スイッチ操作によってメッセージが出力中でも出力されているメッセージの速度を変更可能に構成したことにより、使用者の好みに応じた速度に変更することができる。
【００１０】
第３の発明の給湯器制御装置は、特に第１または第２の発明において、出力されている
メッセージの一時停止をする一時停止スイッチを備え、スイッチ操作によって、メッセージの出力中でも出力されているメッセージを一時停止可能に構成したことにより、一時停止してメッセージを読むことができるため、使用者がメッセージを正確に読み取ることができる。
【００１１】
第４の発明の給湯器制御装置は、特に第１〜第３の発明において、出力されているメッセージを記録をする記録スイッチと、記録したメッセージを再生する再生スイッチを備え、スイッチ操作によって、出力されたメッセージをいつでも記録し、再生可能に構成したことにより、いつでも使用者がメッセージを読み取ることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における給湯器制御装置の構成図を示すものである。
【００１４】
図１において、本発明の給湯器制御装置は、使用者がスイッチ操作を行い所望の動作を入力する操作部１、各スイッチが押下された際にそれぞれのスイッチに該当する個別の機能を割り当てるスイッチ機能部２、それぞれのスイッチに該当する内部データを管理する内部データ管理部３、スイッチ機能部からどのスイッチが押下されたかの信号を受け取りその機能に該当するデータの表示を管理する表示制御部４、接続された給湯器本体との通信を行う通信部５、スイッチ機能部からどのスイッチが押下されたかの信号を受け取りその機能に該当する音声データの出力を管理する音声制御部６、表示データを作成する表示機能部７、音声データを作成する音声機能部８、表示機能部からのメッセージなどの表示データを表示する表示部９、音声機能部からの音声データを出力する音声出力部１０を有している。
【００１５】
以上のように構成された給湯器制御装置について、以下その動作、作用を説明する。
【００１６】
まず、操作者は操作部１からスイッチ操作を行い所望の動作を入力する。スイッチ機能部２は、割り当てられている各スイッチ個別の機能を検出し、割り当てられた機能信号を表示制御部４へ出力する。同時にスイッチ機能部２は、割り当てられている各スイッチ個別の機能を検出し、割り当てられた機能信号を音声制御部６へ出力する。
【００１７】
また、内部データ管理部３は、スイッチに該当する内部データを管理し、必要に応じて内部データ（例えば給湯温度）の更新を行い、内部データを表示機能部７に出力する。また、通信部５は給湯器本体、あるいは接続されている他制御装置からの通信データを受け取り、内部データ管理部３に出力する。内部データ管理部３は、操作情報と同様に必要に応じて通信情報から内部データを更新し、表示機能部７へ出力する。
【００１８】
更に表示機能部７は、内部データ管理部３からの信号により表示させるデータの作成を行い、表示部９へ出力する。その際、表示制御部４からの信号により、実際に点灯させる場合は本来のメッセージデータの出力を行い、表示させない場合はブランクデータを出力する。表示部９は表示機能部７からのデータを表示する。
【００１９】
また、内部データ管理部３は、スイッチに該当する内部データを管理し、必要に応じて内部データ（例えば給湯温度）の更新を行い、内部データを音声機能部８に出力する。また、通信部５は給湯器本体、あるいは接続されている他制御装置からの通信データを受け取り、内部データ管理部３に出力する。内部データ管理部３は、操作情報と同様に必要に
応じて通信情報から内部データを更新し、音声機能部８へ出力する。
【００２０】
更に音声機能部８は、内部データ管理部３からの信号により出力させる音声データの作成を行い、音声出力表示部１０へ出力する。その際、音声制御部６からの信号により、実際に出力させる場合は本来のデータの出力を行い、出力させない場合は無音データを出力する。音声出力部１０は音声機能部８からの音声データを出力する。
【００２１】
以上のように、本実施の形態においては操作者のスイッチ操作を適当なメッセージデータに割り当ててデータを表示することにより、スイッチ操作に応じたメッセージを出力することができる。
【００２２】
図２は、本発明の第２の実施の形態の給湯器制御装置の構成図を示すものである。
【００２３】
図２において、本発明の操作部１のスイッチ群は、加速調節スイッチ２１、減速調節スイッチ２２、一時停止スイッチ３１、停止スイッチ４１、記録スイッチ５１、再生スイッチ５２で構成されている。以下、それぞれの操作について説明する。
【００２４】
操作者は表示部９からメッセージが出力されているとき、その速度を早めようと思い、加速調節スイッチ２１を操作する。あるいは操作者は表示部９からメッセージが出力されているとき、その速度を遅めようと思い、減速調節スイッチ２２を操作する。
【００２５】
加速調節スイッチ２１、または減速調節スイッチ２２の操作は、スイッチ機能部２によってそのスイッチを同定する信号に変換され表示制御部４に出力される。表示機能部４は、入力された信号から、表示データの加速、減速を制御する信号を表示機能部７へ出力する。表示機能部７は、現在出力している表示データに加速、減速を制御する信号を加味して表示部９へ表示データを出力する。
【００２６】
以上のように、本実施の形態においては操作者のスイッチ操作により、スイッチ操作に応じた速度でメッセージを出力することができる。
【００２７】
また、操作者は表示部９からメッセージが出力されているとき、その出力を一時停止しよう思い、一時停止スイッチ３１を操作する。一時停止スイッチ３１の操作は、スイッチ機能部２によってそのスイッチを同定する信号に変換され表示制御部４に出力される。
【００２８】
表示機能部４は、入力された信号から、表示データの一時停止を制御する信号を表示機能部７へ出力する。表示機能部７は、一時停止を制御する信号により、表示部９へ出力している表示データを一時停止する。
【００２９】
以上のように、本実施の形態においては操作者のスイッチ操作により、メッセージの出力を一時停止することができる。
【００３０】
また、操作者は表示部９からメッセージが出力されているとき、その出力を停止しよう思い、停止スイッチ４１を操作する。停止スイッチ４１の操作は、スイッチ機能部２によってそのスイッチを同定する信号に変換され表示制御部４に出力される。
【００３１】
表示機能部７は、入力された信号から、表示データの停止を制御する信号を表示機能部７へ出力する。表示機能部７は、停止を制御する信号により、表示部９へ出力している表示データを停止する。
【００３２】
以上のように、本実施の形態においては操作者のスイッチ操作により、メッセージの出
力を停止することができる。
【００３３】
また本発明は、表示記録部５３を有している。操作者は表示部９からメッセージが出力されているとき、その出力を記録しよう思い、記録スイッチ５１を操作する。記録スイッチ５１の操作は、スイッチ機能部２によってそのスイッチを同定する信号に変換され表示制御部４に出力される。
【００３４】
表示制御部４は入力された信号から、表示データの記録を制御する信号を表示機能部７へ出力する。表示機能部７は、記録を制御する信号により、表示部９へ出力している表示データを表示記録部５３にも出力する。表示記録部５３は、この表示データを記録する。
【００３５】
また操作者は、記録されている表示データを再生しようと思い、再生スイッチ５２を操作する。再生スイッチ５２の操作は、スイッチ機能部２によってそのスイッチを同定する信号に変換され表示制御部４に出力される。
【００３６】
表示制御部４は、入力された信号から、表示データの再生を制御する信号を表示機能部７へ出力する。表示機能部７は、再生を制御する信号により、再生信号を表示記録部５３へ出力する。表示記録部５３は、再生信号により記録されている表示データを表示部９へ出力する。表示部９は、この表示データを出力する。
【００３７】
以上のように、本実施の形態においては操作者のスイッチ操作により、メッセージの出力を録画、再生することができる。
【図面の簡単な説明】
【００３８】
【図１】本発明の実施の形態における給湯器制御装置の構成図
【図２】本発明の実施の形態における操作部の構成図
【符号の説明】
【００３９】
１  操作部
２  スイッチ機能部
３  内部データ管理部
４  表示制御部
５  通信部
６  音声制御部
７  表示機能部
８  音声機能部
９  表示部
０  音声出力部
２１  加速調節スイッチ
２２  減速調節スイッチ
３１  一時停止スイッチ
４１  停止スイッチ
５１  記録スイッチ
５２  再生スイッチ
５３  表示記録部段
【図１】
2010007913.tif 000003
【図２】
2010007913.tif 000004